(57)【要約】【課題】貯蔵室内のトレイの下面を案内する部材のメンテナンスが容易な冷蔵庫を提供する。【解決手段】冷蔵室２と、冷蔵室２を上下に区画する棚１４ｄと、冷蔵室２の仕切壁ｋ１と棚１４ｄとの間に配置される貯蔵室３０と、を備えた冷蔵庫において、貯蔵室３０は、引き出し式のトレイ３１と、トレイ３１の下面を前後方向に案内する案内部材３３とを備え、案内部材３３は、仕切壁ｋ１とは別部材で構成されている。【選択図】図５
2018048747.tif 000002
【特許請求の範囲】
【請求項１】
冷蔵室と、
前記冷蔵室を上下に区画する棚と、
前記冷蔵室の仕切壁と前記棚との間に配置される貯蔵室と、を備えた冷蔵庫において、
前記貯蔵室は、引き出し式のトレイと、前記トレイの下面を前後方向に案内する案内部材とを備え、前記案内部材は、前記仕切壁とは別部材で構成されていることを特徴とする冷蔵庫。
【請求項２】
冷蔵室と、
前記冷蔵室を上下に区画する棚と、
前記冷蔵室の仕切壁と前記棚との間に配置される貯蔵容器と、を備えた冷蔵庫において、
前記貯蔵容器は、引き出し式のトレイと、前記トレイの下面を前後方向に案内する案内部材と、前記トレイが引き出されるとともに開く蓋部材と、左側面を形成する左枠体と、右側面を形成する右枠体と、を組合せて構成され、
前記蓋部材の軸部を、前記左枠体の軸受および前記右枠体の軸受に軸支させたことを特徴とする冷蔵庫。
【請求項３】
前記トレイと前記案内部材との間に隙間が形成されていることを特徴とする請求項１または請求項２に記載の冷蔵庫。
【請求項４】
前記案内部材は、
前記トレイに形成された案内突起を案内する溝部と、
前記トレイが収納されたときに前記溝部の周囲において前記トレイの下面と面接触する平面と、
を有することを特徴とする請求項１に記載の冷蔵庫。
【発明の詳細な説明】
【技術分野】
【０００１】
本発明は、冷蔵庫に関する。
【背景技術】
【０００２】
従来、冷蔵庫には、冷蔵室内に肉や魚などの生鮮食品を収納するためのチルドルームと称される貯蔵室が種々提案されている。この種のチルドルームは、引き出し式のケースを備え、冷蔵室の最下段の仕切棚の真下に設置されている（例えば、特許文献１参照）。
【先行技術文献】
【特許文献】
【０００３】
【特許文献１】特開２００５−６９６０１公報
【発明の概要】
【発明が解決しようとする課題】
【０００４】
従来の冷蔵庫は、チルド室のトレイの下面を前後方向へ摺動させるレールが、内箱の構成部材である仕切板に直接形成されている。しかし、使用者がチルド室のトレイを引き出す度に、レールに繰り返し力がかかり、特にトレイ内に食品が入って重くなっていると、荷重によってレールが損傷し易い。このようにレールが損傷した場合、従来の構造では、内箱そのものを交換しなければならない。
【０００５】
本発明は、前記した従来の課題を解決するものであり、貯蔵室内のトレイを案内する部材のメンテナンスが容易な冷蔵庫を提供することを目的とする。
【課題を解決するための手段】
【０００６】
本発明は、冷蔵室と、前記冷蔵室を上下に区画する棚と、前記冷蔵室の仕切壁と前記棚との間に配置される貯蔵室と、を備えた冷蔵庫において、前記貯蔵室は、引き出し式のトレイと、前記トレイの下面を前後方向に案内する案内部材とを備え、前記案内部材は、前記仕切壁とは別部材で構成されていることを特徴とする。
【発明の効果】
【０００７】
本発明によれば、貯蔵室内のトレイの下面を案内する部材のメンテナンスが容易な冷蔵庫を提供できる。
【図面の簡単な説明】
【０００８】
【図１】第１実施形態の冷蔵庫を前方から見た斜視図である。
【図２】トレイ収納時の冷蔵室内部の正面図である。
【図３】チルド容器を示す分解斜視図である。
【図４】チルド容器のトレイを底側から見たときの平面図である。
【図５】チルド容器を冷蔵室から分離した状態を示す斜視図である。
【図６】冷気の戻り口を示す斜視図である。
【図７】断熱仕切壁にレール部材を取り付けた状態を示す正面図である。
【図８】図７のＶＩＩＩ−ＶＩＩＩ線断面図である。
【図９】図７のＩＸ−ＩＸ線断面図である。
【図１０】トレイ収納時のチルド容器を示す正面図である。
【図１１】図１０のＸＩ−ＸＩ線断面図である。
【図１２】トレイ引出し時のチルド容器を示す正面図である。
【図１３】図１２のＸＩＩＩ−ＸＩＩＩ線断面図である。
【図１４】棚を補強プレートで支持している状態を示す断面図である。
【図１５】図２のＸＶ−ＸＶ線拡大断面図である。
【図１６】トレイ引出し時のチルド容器の冷蔵室内部を示す縦断面図である。
【図１７】第２実施形態の冷蔵庫を示す縦断面図である。
【図１８】第３実施形態の冷蔵庫に適用される補強プレートを裏面から見たときの平面図である。
【発明を実施するための形態】
【０００９】
以下、本発明の実施形態について添付図面を参照して説明する。
【００１０】
（第１実施形態）
図１は、第１実施形態の冷蔵庫を前方から見た斜視図である。なお、図１では、６つの扉を備えた冷蔵庫１を例に挙げて説明しているが、５つ以下、または７つ以上の扉を備えた冷蔵庫に適用することができる。
【００１１】
図１に示すように、第１実施形態の冷蔵庫１は、最上部に冷蔵温度帯（例えば、６℃前後）の冷蔵室２、最下部に冷蔵温度帯（例えば、６℃前後）の野菜室５を備えている。また、冷蔵庫１は、冷蔵室２と野菜室５との間に、これらの両室と断熱的に仕切られた冷凍温度帯（例えば、約−２０℃〜−１８℃の温度帯）の冷凍室である製氷室３ａ，上段冷凍室３ｂ、および下段冷凍室４を備えている。また、冷蔵室２と、製氷室３ａおよび上段冷凍室３ｂとの間は、断熱仕切壁ｋ１（図２参照）により区画されている。なお、図示していないが、下段冷凍室４と野菜室５との間も断熱仕切壁によって区画されている。また、本実施形態では、断熱仕切壁ｋ１が、特許請求の範囲における仕切壁に相当する。
【００１２】
また、冷蔵庫１は、冷蔵室２、製氷室３ａ、上段冷凍室３ｂ（以下、製氷室３ａと上段冷凍室３ｂとをまとめて冷凍室３という場合もある）、下段冷凍室４（以下、冷凍室４という場合もある）および野菜室５の前面開口部を開閉する断熱構成の扉６，７，８，９，１０を備えている。扉６は、観音開き式のものであり、回動式の左扉６ａと右扉６ｂとによって構成されている。扉７，８，９，１０は、前後方向に移動可能な引出し式のものである。扉６〜１０を除く外周筐体部（冷蔵庫本体）は、鋼板製の外箱１１と樹脂製の内箱１２（図２参照）との間に外気との断熱を図るウレタン発泡断熱材および真空断熱材（図示せず）を有して構成されている。
【００１３】
また、冷蔵庫１には、前記の冷凍および冷蔵を行うための冷凍サイクルが設けられている。この冷凍サイクルは、圧縮機，凝縮器，キャピラリチューブ（減圧装置）および冷媒の気化熱を奪い冷却源となる蒸発器を備え、冷媒が、圧縮機、凝縮器、キャピラリチューブ、蒸発器、そして再び圧縮機の順に流れるように構成されている。
【００１４】
この冷却源となる蒸発器は、冷凍室３，４の後方に設置され、送風ファン（不図示）によって、蒸発器の冷気が、冷凍室３，４に送られる。また、冷気は、冷蔵温度以下になると閉塞する開閉可能なダンパ装置を介して、冷蔵室２および野菜室５に送られる。なお、冷蔵庫１は、冷気が各貯蔵空間を冷却した後に循環する冷気の循環構造を有しており、冷蔵室２、冷凍室３、冷凍室４および野菜室５が、温度センサを用いた制御装置による温度制御によって、所定の温度に維持されている。
【００１５】
図２は、トレイ収納時の冷蔵室内部の正面図、図１６は、トレイ引出し時の冷蔵室内部を示す斜視図である。なお、図２および図１６では、冷蔵室２の扉６を取り外した状態を示している。
【００１６】
図２に示すように、冷蔵庫１の冷蔵室２内には、上下方向に仕切る４段の仕切棚１４ａ，１４ｂ，１４ｃ，１４ｄが上下方向に間隔を空けて設けられている。仕切棚１４ａ〜１４ｄは、いずれもＰＳ（ポリスチレン）などの合成樹脂材料や強化ガラスなどで形成されている。また、下から二段目の仕切棚１４ｃは、左右方向の左側に固定棚１４ｃ１、右側に上下の位置を変更可能な可動棚１４ｃ２が設けられている。なお、本実施形態での最下段の仕切棚１４ｄが、特許請求の範囲に記載の棚に相当する。また、仕切棚１４ｄは、透明な樹脂材で形成され、底面にローレット加工（しぼ加工）が施されて、仕切棚１４ｄを通して下側を見え難くしている。
【００１７】
また、冷蔵室２内には、最下段の仕切棚１４ｄと冷蔵室２の底面を構成する断熱仕切壁ｋ１との間の空間に、チルド容器（貯蔵室）３０と、このチルド容器３０の左端に給水タンク４０が左右に並んで設けられている。また、チルド容器３０は、仕切棚１４ｄの真下に設置されている。また、チルド容器３０は、冷蔵室２の最下部に位置し、間接冷却によってチルド容器２１の内部が冷却される。
【００１８】
また、冷蔵室２内の背面には、上下方向に延在する冷気ダクト２３が設けられている。この冷気ダクト２３には、最上段の仕切棚１４ａ上に冷気を吹き出す吹出口２３ａ、仕切棚１４ｂ上に冷気を吹き出す吹出口２３ｂ、仕切棚１４ｃ上に冷気を吹き出す吹出口２３ｃ、仕切棚１４ｄ上に冷気を吹き出す吹出口２３ｄなどが設けられている。また、冷気ダクト２３は、蒸発器（不図示）と冷蔵用のダンパ（不図示）を介して連通している。
【００１９】
図３は、チルド容器を示す分解斜視図である。
【００２０】
図３に示すように、チルド容器３０は、トレイ３１、蓋部材３２、レール部材３３、補強プレート３４、左枠体３５、右枠体３６を組み合わせて構成されている。なお、トレイ３１、蓋部材３２、左枠体３５および右枠体３６は、いずれもＰＳ（ポリスチレン）などの合成樹脂材料で形成され、レール部材３３は、ＡＢＳ（アクリロニトリルブタジエンスチレン共重合体）樹脂で形成されている。
【００２１】
トレイ３１は、前板３１ａ、後板３１ｂ、左右の側板３１ｃ，３１ｄおよび底板３１ｅを組み合わせて構成され、上面が開放する四角箱形状を呈している。また、トレイ３１は、前板３１ａの前面に手を下側から挿入して掛けてトレイ３１を前後方向に移動させる取っ手３１ｆが形成されている。この取っ手３１ｆは、トレイ３１の左右の幅方向に沿って形成されている。
【００２２】
また、前板３１ａは、後板３１ｂよりも高さが低く形成されている。側板３１ｃ，３１ｄの上縁は、奥側（後側）が後板３１ｂと同じ高さに形成された水平部３１ｃ３，３１ｄ３と、手前側（前側）が下るようにして傾斜する傾斜部３１ｃ１，３１ｄ１と、を有している。また、側板３１ｃ，３１ｄの後端上部には、凸部３１ｃ２，３１ｄ２が上方に突出して形成されている。
【００２３】
蓋部材３２は、トレイ３１と略同じ幅の長板状の板部３２ａと、この板部３２ａを回動自在に支持する軸部３２ｂと、を有している。
【００２４】
板部３２ａは、蓋部材３２が閉じたときを基準として、前面３２ａ１、下面３２ａ２および上面３２ａ３を有し、厚みを有して構成されている。
【００２５】
軸部３２ｂは、板部３２ａの側面３２ｃの上端に位置するとともに、軸方向外側に向けて突出して形成されている。また、側面３２ｃには、板部３２ａから離れる方向に延びる腕部３２ｄが形成され、この腕部３２ｄの先端に、軸部３２ｂと同様に軸方向外側に向けて突出する突起３２ｅが形成されている。突起３２ｅは、前記した水平部３１ｄ３および傾斜部３１ｄ１に対向する位置に形成されている。なお、図３では、蓋部材３２の右側のみを図示して説明したが、左側についても右側と同様に左右対称に形成されているものとする。
【００２６】
レール部材３３は、トレイ３１の底側に配置されている。また、レール部材３３は、トレイ３１の底板３１ｅに対応する面積且つ平面視矩形状のベース３３ａを有している。このベース３３ａ上には、上方に突出する矩形状の支持台３３ｂ，３３ｃが左右両側に互いに離間して配置されている。左側の支持台３３ｂは、ベース３３ａの左端において矩形状に突出し、その上面３３ｂ１に前後方向に延在するスライド用の溝部３３ｄが形成されている。溝部３３ｄを除く上面３３ｂ１は、平坦な面である。溝部３３ｄは、支持台３３ｂの左右方向の内側の縁寄りに位置している。右側の支持台３３ｃは、ベース３３ａの右端において矩形状に突出し、その上面３３ｃ１に前後方向に延在するスライド用の溝部３３ｅが形成されている。溝部３３ｅを除く上面３３ｃ１は、平坦な面である。溝部３３ｅは、支持台３３ｃの左右方向の内側の縁寄りに位置している。このように、支持台３３ｂ，３３ｃを左右両側に配置することで、トレイ３１をがたつきなく安定して支持することができる。
【００２７】
溝部３３ｄは、支持台３３ｂの前端近傍から後方に向けて前後方向に延びる第１水平部３３ｄ１と、この第１水平部３３ｄ１の後方において第１水平部３３ｄ１よりも低い位置となる第２水平部３３ｄ２と、第１水平部３３ｄ１と第２水平部３３ｄ２とを繋いで連続面とするテーパ部３３ｄ３と、第１水平部３３ｄ１の前端において上方に突出する規制突起３３ｄ４と、を有している。なお、溝部３３ｅについても溝部３３ｄと同様に、第１水平部３３ｅ１、第２水平部３３ｅ２、テーパ部３３ｅ３および規制起部３３ｅ４を有している。
【００２８】
また、レール部材３３には、左端に爪部３３ｆ，３３ｆが形成されている。この爪部３３ｆは、前後方向に互いに離間して形成されている。また、爪部３３ｆは、ベース３３ａの左端から左側方に突出している。
【００２９】
また、レール部材３３には、右端に爪部３３ｇが形成されている（一部図示省略）。この爪部３３ｇは、前後方向に互いに離間して形成されている。また、爪部３３ｇは、ベース３３ａの右端から上方に突出している。
【００３０】
このように、レール部材３３を冷蔵庫本体の内箱１２（断熱仕切壁ｋ１）とは別部品で構成することにより、摺動性のいい材質、高負荷にも耐えられる材質に容易に変更が可能となる。ちなみに、内箱にレールを直接設けると、レールの強度を強くしたいときは、内箱の底（断熱仕切壁ｋ１の上面）の部分を変えないといけない。本実施形態では、レール部材３３の材質だけ変えればよいので、コスト的に安価に構成できる。例えば、レール部材３３の材質としては、ＡＢＳ樹脂を選択することができるが、摺動性を良くするために、ナイロン、ＰＯＭなどを適用することもでき、別の材質にも容易に変えられる構造をしている。また、本実施形態では、レール部材３３に傷が付いたときに、レール部材３３のみを交換すればよいので、内箱１２（断熱仕切壁ｋ１）の全体を交換する必要がなくなり、コスト的に安く修理が可能となる。
【００３１】
補強プレート３４は、仕切棚１４ｄの変形を抑えるものであり、レール部材３３と対向する位置に配置されている。また、補強プレート３４は、合成樹脂製の板部３４ａと金属製の補強材３４ｔによって構成されている。
【００３２】
板部３４ａは、左右方向に延在する略矩形状を呈するものである。また、板部３４ａの前後方向の長さ（奥行）寸法Ｄ１は、コスト節減のため、トレイ３１の前後方向の長さ（奥行）寸法Ｄ２よりも短く形成されている。
【００３３】
また、板部３４ａは、前端部の上面に仕切棚１４ｄ（図２参照）を支持する支持部３４ｂ，３４ｂ，３４ｂが上方に突出し、かつ、互い左右方向に離間して形成されている。各支持部３４ｂは、台形状に形成され、上部に平坦面３４ｂ１が形成されている。
【００３４】
また、板部３４ａは、後端部の上面に仕切棚１４ｄ（図２参照）を支持する支持部３４ｃが上方に突出して形成されている。支持部３４ｃは、左右方向の中央の一箇所に形成されている。
【００３５】
また、板部３４ａの上面には、支持部３４ｂと重なる位置に左右方向に延在する補強リブ３４ｂ２と、支持部３４ｃと重なる位置に左右方向に平行に延在する補強するリブ３４ｃ２，３４ｃ２と、が形成されている。
【００３６】
補強材３４tは、鉄、ステンレスなどの剛性を有するもので形成され、仕切棚１４ｄの変形を抑制する機能を有している。また、補強材３４ｔは、板部３４ａの左右方向の長さと略同じ長さに形成されている。板部３４ａには、支持部３４ｂの下方に補強材３４ｔを収納するための収納部３４ｄが形成されている。補強材３４ｔは、板部３４ａの下面側から挿入される。
【００３７】
補強材３４ｔは、収納部３４ｄに対向する板部３４ｔ１と、収納部３４ｄの前面に対向する板部３４ｔ２と、収納部３４ｄの後面に対向する板部３４ｔ３と、を有し、コ字状に曲げ形成されている。また、板部３４ｔ１の左右両端部には、上方に向けて起立する爪３４ｔ４，３４ｔ５が形成されている。この爪３４ｔ４，３４ｔ５は、板部３４ａの収納部３４ｄの左右両端に形成された掛止部３４ｅに掛止されることで、補強材３４ｔが抜け出ることなく収納部３４ｄ内に保持される。
【００３８】
また、板部３４ａの左側面には、後記する左枠体３５に板部３４ａを連結するための連結部３４ｆ，３４ｆが形成されている。連結部３４ｆは、Ｌ字状に形成され、互いに離間して形成されている。
【００３９】
また、板部３４ａの右側面には、後記する右枠体３６に板部３４ａを連結するための連結部３４ｇ，３４ｇが形成されている。連結部３４ｇは、位置決め突起３４ｈと、掛止部３４ｉとが前後方向に近接して形成されている。位置決め突起３４ｈは、下方に向けて突出する形状を有している。前側の連結部３４ｇは、前側から位置決め突起３４ｈ、掛止部３４ｉの順に形成されている。後側の連結部３４ｇは、前側から掛止部３４ｉ、位置決め突起３４ｈの順で形成されている。
【００４０】
左枠体３５は、チルド容器３０の左側面を構成するとともに、チルド容器３０と給水タンク４０とを仕切る機能を有している。また、左枠体３５は、ベース３３ａの前後方向の長さよりも長く形成される矩形状の板部３５ａと、この板部３５ａから内方に突出する突出片３５ｂと、を有している。突出片３５ｂは、側面視において、Ｌ字型に形成され、板部３５ａの上縁に沿って前後方向に延在する上片部３５ｂ１と、この上片部３５ｂ１の後端から下方に向けて延在する後片部３５ｂ２と、を有して構成されている。
【００４１】
板部３５ａには、垂下して形成される延長板３５ｃが形成され、この延長板３５ｃの内壁面に、レール部材３３の爪部３３ｆ，３３ｆが掛止される掛止部３５ｄ，３５ｄが形成されている。また、掛止部３５ｄは、爪部３３ｆが挿入される筒形状であり、爪部３３ｆに向けて突出している。
【００４２】
また、板部３５ａの内壁面には、トレイ３１の側板３１ｃ，３１ｄに形成された凸部３１ｃ２，３１ｄ２をガイドするガイド部材３５ｅが形成されている。このガイド部材３５ｅは、略板状に形成され、板部３５ａの内壁面から左右方向の内側に突出している。また、ガイド部材３５ｅは、前後方向に長く延在する水平部３５ｅ１と、この水平部３５ｅ１の前端において下向きに延びるストッパ部３５ｅ２と、水平部３５ｅ１の後端において上方に突出する逃げ部３５ｅ３と、逃げ部３５ｅ３の後方において水平部３５ｅ１よりも若干低く形成された水平部３５ｅ４と、を有している。
【００４３】
また、板部３５ａの上端には、補強プレート３４の連結部３４ｆ，３４ｆが取り付けられる連結孔３５ｇ，３５ｇが形成されている。
【００４４】
また、板部３５ａの内壁面には、蓋部材３２の軸部３２ｂが回動自在に支持される軸受３５ｈが形成されている。また、板部３５ａの内壁面には、ガイド部材３５ｅの上方に、補強プレート３４を支える支持リブ３５ｆが複数形成されている。
【００４５】
また、突出片３５ｂの上片部３５ｂ１の上面には、仕切棚１４ｂ（図２参照）の左端を支持する支持部３５ｂ３，３５ｂ４が形成されている。支持部３５ｂ３は、上片部３５ｂ１の前端に形成されている。支持部３５ｂ４は、支持部３５ｂ３から後方に離れ且つ支持部３５ｂ３よりも前後方向に長く形成されている。
【００４６】
右枠体３６は、チルド容器３０の右側面を構成する機能を有している。すなわち、本実施形態では、内箱１２（図２参照）の壁面を、チルド容器３０の右側面としないものである。また、右枠体３６は、奥行の長さがベース３３ａの前後方向の長さと同程度に形成される板部３６ａを有している。板部３６ａの下端には、レール部材３３の爪部３３ｇが掛止される掛止部３６ｂ，３６ｂが形成されている。
【００４７】
また、板部３６ａの上端には、補強プレート３４の位置決め突起３４ｈ，３４ｈが挿入される位置決め凹部３６ｃ，３６ｃと、補強プレート３４の掛止部３４ｉ，３４ｉが掛止される爪３６ｄ，３６ｄと、が形成されている。
【００４８】
また、板部３６ａの内壁面には、蓋部材３２の軸部３２ｂが回動自在に支持される軸受３６ｅが形成されている。また、板部３６ａの外壁面には、補強用のリブ３６ｆが格子状に形成されている。
【００４９】
このように、右枠体３６を設けることにより、右枠体３６にレール部材３３と補強プレート３４とを取り付けることができるとともに、蓋部材３２の軸部３２ｂを軸支する軸受３６ｅを形成することができる。これにより、内箱１２や仕切棚１４ｄに軸受を設けたりする必要がなくなる。
【００５０】
図４は、チルド容器のトレイを底側から見たときの平面図である。
【００５１】
図４に示すように、トレイ３１の底板３１ｅの下面には、前後方向に延在するガイド部３１ｇ，３１ｇが突出して形成されている。ガイド部３１ｇは、前後方向に直線状に延びて形成されている。ガイド部３１ｇの後端部は、図４の平面視において前後方向に対して内側に傾いて延びる傾斜部３１ｇ１を有している。このガイド部３１ｇの外面３１ｇ２，３１ｇ２は、レール部材３３の支持台３３ｂ，３３ｃの内側面３３ｂ２，３３ｃ２（図３参照）と接するように構成されている。これにより、トレイ３１を安定して前後方向に移動させることができる。また、ガイド部３１ｇを設けることにより、トレイ３１の底板３１ｅの撓み変形を抑制することができ、トレイ３１に食品を収納したときの撓み変形を抑えることができる。
【００５２】
また、底板３１ｅの下面には、ガイド部３１ｇの後部かつ左右方向の外側に、ガイド部３１ｇから離間して案内突起３１ｈが形成されている。案内突起３１ｈ，３１ｈは、レール部材３３の溝部３３ｄ，３３ｅ（図３参照）に挿入され、トレイ３１を前後方向に沿って移動させることができる。
【００５３】
また、案内突起３１ｈは、図４の平面視において凹状に形成され、凹面が後方を向くように構成されている。案内突起３１ｈをこのような形状にすることにより、案内突起３１ｈの強度を確保することができ、溝部３３ｄ，３３ｅ（図３参照）との接触面積を減らして、トレイ３１の摺動抵抗を減らすことができる。
【００５４】
図５は、チルド容器を冷蔵室から分離した状態を示す斜視図である。
【００５５】
図５に示すように、チルド容器３０は、組み立てた状態で冷蔵室２の所定の位置に設置される。例えば、仕切棚１４ｄを外した状態（図５では仕切棚１４ｄが付いて状態を示している）で、チルド容器３０を窪み部１２ａに固定することで設置できる。
【００５６】
断熱仕切壁ｋ１の上面（冷蔵庫２の内箱１２の底面）には、レール部材３３（図３参照）を取り付けるための矩形状の窪み部１２ａが形成されている。窪み部１２ａの底面には、レール部材３３を固定するための固定突起１３ａが形成されている。
【００５７】
チルド容器３０は、レール部材３３の爪部３３ｆ，３３ｆ（図３参照）が左枠体３５の掛止部３５ｄ，３５ｄ（図３参照）に挿入されて掛止されることで、左枠体３５がレール部材３３に固定される。
【００５８】
また、チルド容器３０は、レール部材３３の爪部３３ｇ（図３参照）が右枠体３６の掛止部３６ｂ，３６ｂに掛止されることで、右枠体３６がレール部材３３に固定される。
【００５９】
また、チルド容器３０は、補強プレート３４が左枠体３５の上部と右枠体３６の上部に架け渡されて固定される。すなわち、左枠体３５の連結孔３５ｇ，３５ｇ（図３参照）に補強プレート３４の連結部３４ｆ，３４ｆ（図３参照）が左枠体３５の内面側から挿入され、挿入後に補強プレート３４を後方にスライドさせることによって、補強プレート３４が左枠体３５に固定される。また、右枠体３６の位置決め凹部３６ｃ，３６ｃに補強プレート３４の位置決め突起３４ｉ，３４ｉ（図３参照）が上方から挿入されるとともに、右枠体３６の爪３６ｄ，３６ｄに補強プレート３４の掛止部３４ｉ，３４ｉが掛止されることで、補強プレート３４が右枠体３６に固定される。
【００６０】
このように、レール部材３３と補強プレート３４と左枠体３５と右枠体３６とを組み付けることで、トレイ３１を挿入でき、また蓋部材３２の軸部３２ｂ，３２ｂ（図３参照）を左枠体３５の軸受３５ｈと右枠体３６の軸受３６ｅとに軸支させることができる。このようにチルド容器３０をユニット化することで、組み立て性を向上でき、また冷蔵庫１を組み立てる際の作業時間も短縮化できる。
【００６１】
また、トレイ３１の収納時（図５参照）には、蓋部材３２の前面３２ａ１が前向きとなり、トレイ３１と補強プレート３４と左枠体３５と右枠体３６とで囲まれて形成される前面開口が閉じられる。
【００６２】
図６は、冷気の戻り口を示す斜視図である。なお、図６は、冷蔵室２からチルド容器３０（図５参照）を取り外した状態を示している。
【００６３】
図６に示すように、断熱仕切壁ｋ１の上面に形成された窪み部１２ａの底面には、図５に示す固定突起１３ａの他に、レール部材３３（図３参照）を固定するための固定突起１３ｂ，１３ｃが形成されている。
【００６４】
また、冷蔵室２内の窪み部１２ａの後方には、吹出口２３ａ，２３ｂ，２３ｃ，２３ｄ（図２参照）から吹き出された冷気が戻る戻り口１４が設けられている。この戻り口１４は、窪み部１２ａの後方かつ左右方向の右側に配置されている。また、戻り口１４は、蒸発器に戻る流路（不図示）が形成されている。
【００６５】
図７は、断熱仕切壁にレール部材を取り付けた状態を示す正面図である。なお、図７は、断熱仕切壁ｋ１にレール部材３３のみを取り付けた状態を示している。
【００６６】
図７に示すように、断熱仕切壁ｋ１にレール部材３３を取り付けて正面から見ると、レール部材３３は、左右両側に、支持台３３ｂ，３３ｃが上方に突出して構成され、支持台３３ｂと支持台３３ｃとの間が１段低くなったベース３３ａの底面３３ａ１が形成されている。
【００６７】
また、支持台３３ｂの上面３３ｂ１には、溝部３３ｄが前後方向（図７の紙面垂直方向）に形成され、この溝部３３ｄの前端に、トレイ３１（図５参照）の案内突起３１ｈ（図４参照）が当接して、トレイ３１の引出し動作が規制される規制突起３３ｄ４が形成されている。なお、支持台３３ｃの上面３３ｃ１にも、同様にして、溝部３３ｅ、規制突起３３ｅ４が形成されている。
【００６８】
図８は、図７のＶＩＩＩ−ＶＩＩＩ線断面図、図９は、図７のＩＸ−ＩＸ線断面図である。なお、図８および図９は、支持台３３ｂ，３３ｃの溝部３３ｄ，３３ｅとは異なる位置（溝部３３ｄ，３３ｅよりも左右方向の外側）で切断した断面図である。
【００６９】
図８に示すように、レール部材３３の裏面（下面）には、窪み部１２ａに形成された固定突起１３ａと対向する位置に、固定突起１３ａと凹凸嵌合する嵌合部３３ｈが形成されている。また、嵌合部３３ｈの周囲には、支持台３３ｂの強度を確保するためのリブが格子状に形成されている。
【００７０】
図９に示すように、レール部材３３の裏面（下面）には、窪み部１２ａに形成された固定突起１３ｂ，１３ｃと対向する位置に、固定突起１３ｂ，１３ｃと凹凸嵌合する嵌合部３３ｉ，３３ｊが形成されている。また、嵌合部３３ｉ，３３ｊの周囲には、支持台３３ｃの強度を確保するためのリブが格子状に形成されている。
【００７１】
このように、レール部材３３を窪み部１２ａに上方から押圧することで、ねじ止めなどの作業を行うことなく、レール部材３３（チルド容器３０）を冷蔵室２に容易に固定することができる。また、支持台３３ｂと支持台３３ｃとの間ではなく、強度の高い支持台３３ｂ，３３ｃと対応する位置において凹凸嵌合させることで、固定突起１３ａ，１３ｂ，１３ｃと嵌合部３３ｈ，３３ｉ，３３ｊとを容易に嵌合させることができる。
【００７２】
図１０は、トレイ収納時のチルド容器を示す正面図、図１１は、図１０のＸＩ−ＸＩ線断面図である。なお、図１１は、溝部３３ｄの位置で切断したときの断面図である。また、図１１は、トレイ３１の左側のみを図示して説明するが、トレイ３１の右側についても左側と同様の作用効果を有するものとして、その説明を省略する。
【００７３】
図１０に示すように、トレイ３１が収納された状態では、レール部材３３の支持台３３ｂ，３３ｃの上面３３ｂ１，３３ｃ１がトレイ３１の底板３１ｅの下面３１ｅ１と面接触している。また、トレイ３１の支持台３３ｂと支持台３３ｃとの間では、トレイ３１の下面３１ｅ１とレール部材３３（ベース３３ａ）とが接触せず、隙間（空間）Ｔが形成されている。
【００７４】
ところで、トレイ３１に食品を入れたときにトレイ３１が撓むので、下面３１ｅ１がレール部材３３と面接触している状態であると、トレイ３１とレール部材３３との接触抵抗が増して、トレイ３１を引き出し難くなる。そこで、前記したように、隙間Ｔを形成することにより、トレイ３１が撓んだとしても、トレイ３１を前後方向に移動し難くなるのを抑制することができる。
【００７５】
また、トレイ３１とレール部材３３との間に隙間Ｔを形成することにより、この隙間Ｔに冷気を通すことができるので、トレイ３１内の食品を間接的に冷却することができ、また冷気がトレイ３１内の食品に直接に接触して食品が乾燥するのを抑えることができる。
【００７６】
また、トレイ３１が収納され、蓋部材３２が閉じた状態では、蓋部材３２の上方に補強プレート３４の支持部３４ｂ，３４ｂ，３４ｂが位置している。
【００７７】
図１１に示すように、トレイ３１が収納された状態では、トレイ３１の底板３１ｅの下面３１ｅ１に設けられた案内突起３１ｈが第１水平部３３ｄ１よりも低い位置の第２水平部３３ｄ２に位置している。この第２水平部３３ｄ２における支持台３３ｂの上面３３ｂ１からの深さ寸法は、案内突起３１ｈの突出寸法（高さ寸法）とほぼ同じ形成されているので、案内突起３１ｈが第２水平部３３ｄ２に位置しているときに、トレイ３１の底板３１ｅの下面３１ｅ１が支持台３３ｂの上面３３ｂ１に面接触することになる。
【００７８】
また、トレイ３１の収納時（完全に収納されているとき）には、トレイ３１の側板３１ｃの凸部３１ｃ２が、ガイド部材３５ｅの第２水平部３５ｅ４の下面に当接している。図１１に示す状態から、取っ手３１ｆに手を掛けてトレイ３１が前方に引き出されると、トレイ３１の案内突起３１ｈが第２水平部３３ｄ２からテーパ部３３ｄ３に移動し、凸部３１ｃ２が凹形状の逃げ部３５ｅ３内に位置する。これにより、トレイ３１の後端が持ち上がった傾斜姿勢となる。またこのとき、蓋部材３２の突起３２ｅがトレイ３１の側板３１ｃの傾斜部３１ｃ１に当接する。
【００７９】
そして、トレイ３１がさらに引き出され、案内突起３１ｈがテーパ部３３ｄ３から第１水平部３３ｄ１に移動すると、凸部３１ｃ２が直線部３５ｅ１の下面に当接する。これにより、トレイ３１が水平状態を維持するとともに、トレイ３１の底板３１ｅの下面３１ｅ１が支持台３３ｂの上面３３ｂ１から離れた状態で引き出される。これにより、トレイ３１とレール部材３３との摺動抵抗が低減され、トレイ３１の引き出し操作が容易になる。
【００８０】
また、蓋部材３２の突起３２ｅが傾斜部３１ｃ１に当接した状態において、トレイ３１が引き出されることで、突起３２ｅが傾斜部３１ｃ１によって前方に押され、蓋部材３２が徐々に開放する。そして、突起３２ｅが傾斜部３１ｃ１から水平部３１ｃ３に移行したときに、蓋部材３２が全開状態となる。その後、突起３２ｅが水平部３１ｃ３を移動することで、蓋部材３２が全開状態を維持しながらトレイ３１が引き出される。
【００８１】
図１２は、トレイ引出し時のチルド容器を示す正面図、図１３は、図１２のＸＩＩＩ−ＸＩＩＩ線断面図である。
【００８２】
図１２に示すように、トレイ３１が引き出されるとともに蓋部材３２が全開状態になると、チルド容器３０を正面から見たときに、蓋部材３２の厚みＤの前後方向の投影内に補強プレート３４の金属製の補強材３４tが位置するように構成されている。これにより、使用者がチルド容器３０を正面から見たときに（図１３参照）、補強材３４tが見え難くなり、冷蔵庫１の意匠性を向上できる（外観上の美観が損なわれ難くなる）。
【００８３】
また、このとき、全開した蓋部材３２の上方に、補強プレート３４の支持部３４ｂ，３４ｂ，３４ｂの一部が突出している。これにより、補強プレート３４で仕切棚１４ｄ（図２参照）を支持することができる。また、蓋部材３２が回動する際に、蓋部材３２が仕切棚１４ｄに接触しないようになっている。
【００８４】
また、前記したように、トレイ３１の下面３１ｅ１と支持台３３ｂ，３３ｃとの間に隙間Ｓ１，Ｓ２が形成されている。
【００８５】
図１３に示すように、トレイ３１が最大に引き出されると、トレイ３１の案内突起３１ｈが溝部３３ｄの前端の規制突起３３ｄ４に当接することで、トレイ３１がそれ以上手前に引き出されないようになっている。また、トレイ３１の凸部３１ｃ２がガイド部材３５ｅのストッパ部３５ｅ２に当接することで、トレイ３１の大きくおじぎした状態にならないように構成されている。
【００８６】
また、蓋部材３２を全開にしたときのトレイ３１の底板３１ｅ（底面）から蓋部材３２の最下端までの高さ寸法Ｈ１よりも、底板３１ｅ（底面）から補強プレート３４までの高さ寸法Ｈ２の方が高くなるように構成されている。このように、補強プレート３４の厚みを薄くしたことで、トレイ３１の食品収納スペースが減ることがない。
【００８７】
図１４は、棚を補強プレートで支持している状態を示す断面図である。
【００８８】
図１４に示すように、補強プレート３４は、仕切棚１４ｄの直下に配置されるとともに、仕切棚１４ｄの前後方向の中央よりも前側に配置されている。このように、補強プレート３４を仕切棚１４ｄの手前側のみに配置したのは、仕切棚１４ｄが内箱１２の左右（図６参照）と、背面（冷気の戻り口１４（図６参照）の部品）とで受けているので、仕切棚１４ｄの手前側が一番撓み易いからである。また、仕切棚１４ｄが変形すると、見た目が悪く、蓋部材３２を開閉せたときの回転時に蓋部材３２が仕切棚１４ｄに接触して蓋部材３２が開かなくなる虞があるので、なるべく仕切棚１４ｄの手前側の変形を抑えるために、補強プレート３４を手前側に配置したものである。
【００８９】
また、補強プレート３４は、支持部３４ｂ，３４ｃの平坦面３４ｂ１，３４ｃ１が仕切棚１４ｄの下面に当接するようになっている。なお、支持部３４ｂが３箇所に設けられ、支持部３４ｃが１箇所に設けられているのは、仕切棚１４ｄの手前側が奥側（前後方向中央）よりも撓み易く、食品が仕切棚１４ｄの手前側に置かれ易いからである。
【００９０】
ところで、補強プレート３４の全面を仕切棚１４ｄに接触させるのではなく、支持部３４ｂ，３４ｃの一部で仕切棚１４ｄに接触させることで、仕切棚１４ｄの斜め上方から見下ろしたときに、仕切棚１４ｄを通して補強プレート３４が透けて見えるのを抑えることができる。
【００９１】
また、補強材３４tは補強プレート３４に収容しているので、補強材３４tが外部から見え難くなり、意匠性が向上する。
【００９２】
図１５は、図２のＸＶ−ＸＶ線拡大断面図である。
【００９３】
図１５に示すように、仕切棚１４ｄとは別部材の補強プレート３４を設けることにより、チルド容器３０の密閉度が向上し、トレイ３１内の食品の乾燥を抑制することが可能になる。すなわち、冷気の流れを太線矢印で示しているように、チルド容器３０の前方から流れ込んだ冷気は、仕切棚１４ｄと補強プレート３４との間の隙間を通り、その後に、冷気の戻り口１４（図６参照）を介して冷蔵室２から排出される。これにより、冷気がトレイ３１内の食品に直接当たるのを抑制できる。
【００９４】
また、補強プレート３４の支持部３４ｂ，３４ｃ（図１４参照）で仕切棚１４ｄを支持することで、補強プレート３４と仕切棚１４ｄとの間に隙間Ｓ１０が形成されるようになっている。
【００９５】
図１６は、トレイを引出し時のチルド容器の冷蔵室内部を示す縦断面図である。なお、図１６は、図１５と同様な位置で切断したときの断面図である。
【００９６】
図１６に示すように、トレイ３１を引き出す際には、底板３１ｅに形成されたガイド部３１ｇがレール部材３３の支持台３３ｂの内側面３３ｂ２に接触することで、トレイ３１が左右にがたつくことなくスライド移動させることができる。
【００９７】
また、ガイド部３１ｇの後端部は、内側に傾斜して曲げられた傾斜部３１ｇ１が形成されているので、トレイ３１を冷蔵室２から取り外して再度取り付ける際にも、トレイ３１を所定の位置に案内して装着することが容易になる。
【００９８】
以上説明したように、第１実施形態の冷蔵庫１では、チルド容器３０が仕切棚１４ｄの変形を抑える補強プレート３４を備えている。すなわち、補強プレート３４の板部３４ａの上面には支持部３４ｂ，３４ｃが突出して形成され、支持部３４ｂ，３４ｃが仕切棚１４ｄの下面と接している。これによれば、仕切棚１４ｄの下に補強プレート３４を設けることで、仕切棚１４ｄの変形を抑えつつ、チルド室の密閉度を上げることができる。チルド室の密閉度を上げることで、食品を乾燥させ難くして、食品の鮮度を長持ちさせることができ、食品を保護する効果（食品の傷みを抑える効果）が得られる。
【００９９】
また、第１実施形態では、チルド容器３０が、引き出し式のトレイ３１と、トレイ３１を前後方向に案内するレール部材３３と、を備え、レール部材３３が、断熱仕切壁ｋ１とは別部材で構成されている。これによれば、不具合が発生したときに、レール部材３３のみの交換で対応することができ、修理コストを低減でき、かつ、修理時間を短縮できる。また、レール部材３３を、摺動性のよい材質や高負荷に耐えられる材質などに安価に変更することができる。
【０１００】
また、第１実施形態では、レール部材３３がトレイ３１に形成された案内突起３１ｈを案内する溝部３３ｄ，３３ｅを備え、レール部材３３が、溝部３ｄ，３３ｅの周囲においてトレイ３１が収納されたときに当該トレイ３１の下面３１ｅ１と面接触する平面（上面３３ｂ１，３３ｃ１）を有する。これによれば、断熱仕切壁ｋ１が冷却されることで、熱伝導によってトレイ３１を冷やすことができ、トレイ３１内の食品を冷却することができる。
【０１０１】
また、第１実施形態では、補強プレート３４に仕切棚１４ｄの幅方向に沿って配置される金属製の補強材３４tが収容され、チルド容器３０がトレイ３１を収納したときの前面開口を塞ぐ蓋部材３２が備えられ、蓋部材３２を全開にしたときに、正面から見たときの蓋部材３２の前後方向の投影面内に補強材３４tが位置している。これによれば、使用者がチルド容器３０を正面から見たときに（図１３参照）、補強材３４tが見え難くなり、冷蔵庫１の意匠性を向上できる（外観上の美観が損なわれ難くなる）。
【０１０２】
また、第１実施形態では、補強材３４tが仕切棚１４ｄの前端縁部に対向する位置に配置されている。これによれば、仕切棚１４ｄの手前が撓み易い場所であるため、前端縁部に対向する位置に補強材３４tを配置することで、補強材３４tを少ない領域で仕切棚１４ｄの撓みを抑えることができる。
【０１０３】
また、第１実施形態では、補強プレート３４tが仕切棚１４ｄを支持する支持部３４ｂ，３４ｃを備え、補強プレート３４と仕切棚１４ｄとの間に冷気が通流する隙間Ｓ１０が形成されている。これによれば、冷気がトレイ３１内の食品に接触するのを抑制することができ、食品の乾燥を抑制することができる。
【０１０４】
（第２実施形態）
図１７は、第２実施形態の冷蔵庫を示す縦断面図である。図１７に示す第２実施形態の冷蔵庫は、第１実施形態のレール部材３３に替えてレール部材３３Ａとしたものである。その他の構成については、第１実施形態と同様であるので、同一の符号を付して重複した説明を省略する。
【０１０５】
図１７に示すように、レール部材３３Ａは、ベース３３ａの裏面（下面）に、前後方向に連続して形成される連通路３３ｓが形成されている。また、連通路３３ｓの前端は、ベース３３ａと窪み部１２ａとの間に開口３３ｓ１が形成されている。連通路３３ｓの後端は、ベース３３ａと窪み部１２ａとの間に開口３３ｓ２が形成されている。これにより、太線矢印で示すように、冷蔵室２の上部から流下した冷気はが、開口３３ｓ１から連通路３３ｓを通り、開口３３ｓ２から出て、戻り口１４（図６参照）を介して冷蔵室２から排出される。このように、レール部材３３Ａと断熱仕切壁ｋ１との間に冷気通路を形成することにより、冷気がトレイ３１内の食品に接触するのを抑制することができる。また、冷気を連通路３３ｓに通流させることで、レール部材３３Ａが冷やされ、そしてトレイ３１を冷やすことができる。これにより、トレイ３１内の食品を間接的に冷やすことができる。
【０１０６】
なお、第２実施形態では、前後方向に延びる連通路３３ｓを例に挙げて説明したが、斜め方向であっても、左右方向であってもよく、またこれらを組み合わせて構成してもよい。
【０１０７】
（第３実施形態）
図１８は、第３実施形態の冷蔵庫に適用される補強プレートを裏面から見たときの平面図である。第３実施形態の冷蔵庫は、補強プレート３４Ａを備えている。この補強プレート３４Ａは、第１実施形態の補強プレート３４の板部３４ａに白金触媒５０を搭載したものである。
【０１０８】
図１８に示すように、補強プレート３４Ａは、板部３４ａの裏面に、白金触媒（プラチナ触媒）５０を載置するための収納凹部３４ｍが形成されている。この収納凹部３４ｍは、左右方向の中央、かつ、前後方向の中央に形成されている。
【０１０９】
白金触媒５０は、光触媒と異なり、ＬＥＤなどの光が無くても、空間内の空気に含まれるエチレンやトリメチルアミンを分解する触媒である。白金触媒５０によってエチレンが分解されることで、二酸化炭素および水蒸気が発生する。また、白金触媒５０はペレット状であり、袋５１に詰められた状態で構成されている。なお、触媒としては、白金触媒５０に限定されるものではなく、他の遷移金属触媒を用いてもよい。その遷移金属触媒としては、細孔を有するシリカ（メソポーラスシリカ）を用いることができ、この細孔の内部に白金やルテニウムなどの遷移金属の微粒子が担持されたものを適用できる。
【０１１０】
トレイ３１内に置かれた食品から発生したエチレンガスは、白金触媒５０と接触することで分解され、二酸化炭素が発生する。また、白金触媒５０は、板部３４ａの中央に設けられているので、発生した二酸化炭素は、チルド容器３０内に充満する。これにより、トレイ３１に貯蔵された食品の気孔が閉じられて食品の呼吸が抑制され、呼吸による栄養成分の減少や乾燥が抑えられるので、野菜の鮮度が長時間維持される。
【０１１１】
また、トレイ３１に貯蔵された食品の表面に存在する水に、二酸化炭素が溶解すると、食品の表面は酸性になる。しかし、水に溶解したときにアルカリ性を示すトリメチルアミンが発生すると、トリメチルアミンも食品表面に存在する水に溶解するため、二酸化炭素の溶解により酸性化した食品表面が中和されてしまう。しかし、冷蔵庫１では、白金触媒５０によってトリメチルアミンが分解されることで、トレイ３１内の食品の表面は酸性となり、食品表面の微生物の増殖が抑制される。
【０１１２】
このように、補強プレート３４Ａに白金触媒５０を設けることで、食品の鮮度を長持ちさせることができ、また、臭いの成分も分解することができる。
【０１１３】
ところで、白金触媒５０はが結露で濡れると、触媒の効率が低下する。そこで、補強プレート３４Ａと仕切棚１４ｄとの間に冷気が流れる隙間Ｓ１０が形成されることで（図１５参照）、結露を防止することができ、触媒の効率の低下を抑えることができる。
【０１１４】
また、補強プレート３４Ａの中央に取り付けることで、食品の全方位に効果を生じさせることができる。
【０１１５】
なお、本発明は前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【０１１６】
１      冷蔵庫
２      冷蔵室
１１    外箱
１２    内箱
１４ｄ  仕切棚（棚）
３０    チルド容器（貯蔵室）
３１    トレイ
３１ｅ  底板
３１ｅ１  底面
３１ｈ  案内突起
３２    蓋部材
３３    レール部材（案内部材）
３３ｂ，３３ｃ  支持台
３３ｂ１，３３ｃ１  上面（平面）
３３ｄ，３３ｅ  溝部
３４    補強プレート（補強部材）
３４ｂ，３４ｃ  支持部
３４t   補強材
３５    左枠体
３６    右枠体
ｋ１    断熱仕切壁（仕切壁）
Ｓ１０  隙間
【図１】
2018048747.tif 000003
【図２】
2018048747.tif 000004
【図３】
2018048747.tif 000005
【図４】
2018048747.tif 000006
【図５】
2018048747.tif 000007
【図６】
2018048747.tif 000008
【図７】
2018048747.tif 000009
【図８】
2018048747.tif 000010
【図９】
2018048747.tif 000011
【図１０】
2018048747.tif 000012
【図１１】
2018048747.tif 000013
【図１２】
2018048747.tif 000014
【図１３】
2018048747.tif 000015
【図１４】
2018048747.tif 000016
【図１５】
2018048747.tif 000017
【図１６】
2018048747.tif 000018
【図１７】
2018048747.tif 000019
【図１８】
2018048747.tif 000020